(57)【要約】【課題】風力タービンのナセル（２２）のベースフレーム又は該ナセルのための支持構造体（１２０）について説明する。【解決手段】風力タービン（１００）は、タワーの垂直方向軸線（２０ａ）を定める少なくとも１つの下部タワーセクションを備えたタワー（２０）、ヨー軸受（１３０）、ナセル（２２）及びハブ（２６）を有する。本支持構造体は、下面と、上面とを含み、本支持構造体は、下面の中心及び上面の中心を通って延びるものとして定義された支持構造体軸線（１２０ａ）を有し、また本支持構造体は、支持構造体軸線がタワーの垂直方向軸線に対して傾斜して風力タービンに取付けられるようになっている。【選択図】      図１
2009156260.tif 000002
【特許請求の範囲】
【請求項１】
タワーの垂直方向軸線を定める少なくとも１つの下部タワーセクションを備えたタワー（２０）、ヨー軸受（１３０）、ナセル（２２）及びハブ（２６）を有する風力タービン（１００）の該ナセルのベースフレーム又は該ナセルのための支持構造体（１２０）であって、
下面と、
上面と、を含み、
該支持構造体（１２０）が、前記下面の中心及び上面の中心を通って延びるものとして定義された支持構造体軸線（１２０ａ）を有し、
該支持構造体が、前記支持構造体軸線が前記タワーの垂直方向軸線（２０ａ）に対してハブに向かって傾斜して前記風力タービンに取付けられるようになっている、
支持構造体。
【請求項２】
前記支持構造体軸線の方向に沿った前記下面及び上面間の寸法が、１ｍ〜５０ｍである、請求項１記載の支持構造体。
【請求項３】
前記支持構造体が、前記支持構造体軸線（１２０ａ）が前記タワーの垂直方向軸線（２０ａ）に対して少なくとも４°の角度だけ傾斜して前記風力タービンに取付けられるようになっている、請求項１及び請求項２のいずれか１項記載の支持構造体。
【請求項４】
その垂直方向軸線（２０ａ）を定める少なくとも１つの下部タワーセクションを備えたタワー（２０）と、
ヨー軸受（１３０）と、
ナセル（２２）と、
ロータ軸線（２８ａ）、ロータ直径及び少なくとも１つのロータブレードを有するロータと、
前記ヨー軸受に面する下面及び前記ナセル又は該ナセルのベースフレームに面する上面を有する支持構造体（１２０）と、を含み、
前記支持構造体が、前記ロータ直径の２％〜該ロータ直径の７０％である前記ヨー軸受から前記ロータ軸線までの距離を構成する長さを有し、
前記支持構造体が、前記タワーの垂直方向軸線に沿って延びるタワーセクションと比べて、前記ロータブレードと該タワーの垂直方向軸線との間の距離を増大させるようになっている、
風力タービン（１００）。
【請求項５】
前記支持構造体が、前記下面の中心及び上面の中心を通って延びるものとして定義された支持構造体軸線（１２０ａ）を有し、
前記支持構造体が、前記支持構造体軸線が前記タワーの垂直方向軸線に対して少なくとも４°の角度だけ傾斜して該風力タービンに取付けられるようになっている、
請求項４記載の風力タービン。
【請求項６】
前記支持構造体が、前方傾斜タワーセクションとして働くような構造にされる、請求項４及び請求項５のいずれか１項記載の風力タービン。
【請求項７】
前記ロータブレード（２８）と前記タワー軸線との間の距離が、非運転状態において６ｍである、請求項４から請求項６のいずれか１項記載の風力タービン。
【請求項８】
風力タービン（１００）を製作する方法であって、
基礎上に第１のタワー部分を取付けるステップと、
前記第１のタワー部分上方に少なくともさらに別のタワー部分を取付けて、第１及び／又は第２のタワー部分により垂直方向タワー軸線を定めるステップと、
前記少なくともさらに別のタワー部分上にヨー軸受（１３０）を取付けるステップと、
前記ヨー軸受上に傾斜タワーセクションを取付けて、該傾斜タワーセクションの傾斜により前記風力タービンの重心を該風力タービンのロータに向かって移動させるステップと、
前記傾斜タワーセクション上方にナセル（２２）又は該ナセルのベースフレームを取付けるステップと、を含む、
方法。
【請求項９】
前記ナセルが、該ナセルのベースフレームを前記傾斜タワーセクションに取付けることによって、該傾斜タワーセクション上に取付けられる、請求項８記載の方法。
【発明の詳細な説明】
【技術分野】
【０００１】
本発明は、風力タービン及び該風力タービンを製作する方法に関する。具体的には、本発明は、風力タービンのタワー、風力タービンのヨー軸受及びナセル支持構造体に関する。さらに具体的には、本発明は、支持構造体、風力タービン及び該風力タービンを製作する方法に関する。
【背景技術】
【０００２】
風力タービンに対する需要が、益々増大している。従って、多数の大形メガワット風力タービンが、世界中の多くの場所で設置されつつある。需要の増大につれて、運転パラメータの更なる改善も考慮されなくてはならない。一方では、出力電力が、最適化されるべきである。他方では、風力タービンを運転停止しなくてはならない頻度が低下するように、風力タービンの安全な運転停止のための要件を変更すべきである。そうすることによって、年間エネルギー出力の向上が得られる。
【発明の開示】
【発明が解決しようとする課題】
【０００３】
従って、エネルギー生成を改善するように運転パラメータを選択することができ、それによって運転パラメータの制御の間に安全面を考慮する必要性が減少するように、風力タービンを構成する要望が存在する。
【課題を解決するための手段】
【０００４】
上記に鑑みて、独立請求項１による支持構造体、独立請求項４による風力タービン及び独立請求項８による風力タービンを製作する方法を提供する。
【０００５】
本発明の更なる態様、利点及び特徴は、従属請求項、明細書の説明及び添付図面から明らかである。
【０００６】
第１の実施形態によると、タワーの垂直方向軸線を定める少なくとも１つの下部タワーセクションを備えたタワー、ナセル及びハブを有する風力タービンの該ナセルのための支持構造体を提供する。本支持構造体は、ヨー軸受に面する下面と、ナセルに面する上面とを含み、本支持構造体は、下面の中心及び上面の中心を通って延びるものとして定義された支持構造体軸線を有し、また本支持構造体は、支持構造体軸線がタワーの垂直方向軸線に対して傾斜して風力タービンに取付けられるようになっている。
【０００７】
別の実施形態によると、風力タービンを提供する。本風力タービンは、その垂直方向軸線を定める少なくとも１つの下部タワーセクションを備えたタワーと、ヨー軸受と、ナセルと、ロータ軸線（２８ａ）、ロータ直径及び少なくとも１つのロータブレードを有するロータと、ヨー軸受に面する下面及びナセルに面する上面を有する支持構造体とを含み、支持構造体は、ロータ直径の２％〜該ロータ直径の７０％であるヨー軸受からロータ軸線までの距離を構成する長さを有し、また支持構造体は、タワーの垂直方向軸線に沿って延びるタワーセクションと比べて、ロータブレードと該タワーの垂直方向軸線との間の距離を増大させるようになっている。
【０００８】
さらに別の実施形態によると、風力タービンを製作する方法を提供する。本方法は、基礎上に第１のタワー部分を取付けるステップと、第１のタワー部分上方に少なくともさらに別のタワー部分を取付けて、第１及び／又は第２のタワー部分により垂直方向タワー軸線を定めるステップと、少なくともさらに別のタワー部分上にヨー軸受を取付けるステップと、ヨー軸受上に傾斜タワーセクションを取付けて、該傾斜タワーセクションの傾斜により風力タービンの重心を該風力タービンのロータに向かって移動させるステップと、傾斜タワーセクション上方にナセルを取付けるステップとを含む。
【発明を実施するための最良の形態】
【０００９】
当業者にとって完全かつ実施可能なその最良の形態を含んだ本発明の開示について、添付図面に対する参照を含む以下の明細書部分において一層具体的に述べる。
【００１０】
次に、本発明の様々な実施形態について詳しく説明するが、図には、それら実施形態の１つ又はそれ以上の実施例を示している。各々の実施例は、本発明の説明のために示しており、本発明の限定を意図するものではない。例えば、１つの実施形態の一部として図示し又は記述した特徴部は、他の実施形態において又は他の実施形態と組合せて使用して、さらに別の実施形態を生み出すことができる。本発明はそのような変更形態及び変形形態も含むことを意図している。
【００１１】
例えばデンマーク式風力タービン概念を最適化するためには、複数のパラメータが検討される。一例として、その上にナセルが取付けられたタワーとロータブレードとの間の距離が、風力タービンの設計者によって検討されなくてはならない。それによって、運転時に、運転条件下又は極端な条件下においてロータブレードが湾曲した時に、ロータブレードの先端がタワーの頂部と接触する可能性を回避するようにしなくてはならない。従って、設計者は、ブレード剛性、ブレードのプリベンディング、ブレードのコーン、ハブコーン、ロータブレードの傾斜角度、ナセルをタワーに取付けるためのフランジに対するハブ中心の距離、タワー中心に対するナセルをタワーに取付けるためのフランジの距離、タワー直径、及びそれらの組合せから成る群の１つ又はそれ以上のパラメータを調整することができる。
【００１２】
ブレード先端とタワー頂部との間の距離を十分に大きくしようとすると、必要となる付加的材料のためにコストが増大することになり、また最適運転条件と運転安全性等との間を妥協させることが必要となるので定格電力が低下することになる可能性がある。さらに、湾曲したブレードの先端とタワー頂部との間の距離が十分に大きくない場合には、安全性の理由で風力タービンのスイッチが切られる場合があり、年間エネルギー生産の低下が生じる可能性もある。
【００１３】
一般的に、風力タービンのタワーは、ナセルを支持し、従ってまたロータを支持する。風力タービンのためのタワーは、例えば管状鋼製タワーのような鋼製タワー、格子形タワー、又はコンクリート製タワーとすることができる。
【００１４】
複数の一般的設計の風力タービンは、管状鋼製タワーを含む。それによって、鋼製タワーは、２０〜４０ｍのセクションとして製作することができる。本明細書に記載した幾つかの実施形態によると、タワーのセクションは、その両端部つまり風力タービンタワーの垂直方向軸線に沿った下端部及び上端部にフランジを含むことができる。タワーセクションは、例えばボルトによって互いに固定してタワーを築き上げることができる。本明細書に記載した他の実施形態と組合せることができる幾つかの実施形態によると、タワーは、基部に向かってその直径が増大する円錐状とすることができる。それによって、強度を増大させることができ、また材料を節減することができる。
【００１５】
他の実施形態によると、溶接した鋼製異形材を使用することによって製作した格子形タワーを使用することができる。それによって、タワーは、格子のように築き上げることができ、またタワーに使用する材料の量の減少により、コストを低減することができる。
【００１６】
本明細書に記載した他の実施形態と組合せることができる本明細書に記載した実施形態によると、タワーは、８０ｍを超えるハブ高さを備えることができ、また基部において少なくとも数メートル、例えば３〜８ｍの直径を有することができる。一般的に、様々なサイズの風力タービンが存在しており、例えば５００ｋＷ〜１ＭＷの出力電力を有する比較的小型のシステム、又は例えば２．５ＭＷ〜５ＭＷの出力電力を有する比較的大形のシステムがある。タワーの高さは、例えば６０〜１５０ｍの範囲内とすることができる。また、これよりも低い風力タービンは、５０ｍ、３０ｍ又はそれ以下のタワー高さを有することができる。
【００１７】
風上型風力タービンの場合には、ロータは、タワー及びナセルの風上側に配置される。それによって、風上型風力タービンは、ロータブレード先端とタワーとの間の適切な間隙の不足を生じる場合がある。また、本明細書に記載した実施形態と組合せることができる他の実施形態によると、風下型風力タービンは、ロータブレード先端とタワーとの間の付加的間隙による利点を得ることができる。一般的に、異なる方向から吹き付ける突風を含む可能性がある強風状態において又は制動状態の間に、ロータブレードは、前方及び後方に湾曲する可能性がある。従って、「後方」傾斜型タワーは、風下型風力タービンにおける運転条件を改善することができる。
【００１８】
図１は、風力タービン１００を示している。図１には、風力タービン１００のタワー２０の上部セクションを示している。別の実施形態によると、図１に示すセクションの下方には、複数のタワーセクションを設けることができる。さらに、下部タワーセクションは、基礎又はそれと同様のものの上に取付けることができる。タワー２０、また特に下部タワーセクションは、そのタワーの垂直方向軸線２０ａを定めることができる。
【００１９】
ナセル２２は、風力タービン１００の頂部に取付けられる。一般的に、ナセル内には、水平方向延長部分を有するベースフレーム（図示せず）が設けられる。ベースフレームは、一方ではナセルをタワー２０に又はタワーの支持構造体１２０に連結することができる。他方では、ナセルは、発電機、歯車又はその他の構成要素のような風力タービン構成要素を支持する。他の実施形態によると、発電機フレームのような付加的フレームを設けて、ナセル２２内に設置した風力タービンの一部の構成要素を支持するようにすることができる。ベースフレームはまた、ベッドプレートと呼ぶこともできる。
【００２０】
ナセルに対してハブ２６を取付けて、ロータブレード２８を支持する。ロータブレード２８は、ロータ直径ＤＲを有するロータの一部である。風力タービン１００は、３つのロータブレード２８を含む。他の実施形態によると、風力タービン内には、１つ、２つ又は４つのロータブレードを含むことができる。幾つかの実施形態によるとメインシャフトの軸線とすることができるハブ２６の回転軸線により、ロータ軸線２８ａが定まる。別の実施形態によると、ロータ軸線は、他の実施形態と組合せることができる幾つかの実施形態のためには、２°〜５°、例えば３°の角度だけ傾斜させることができる。
【００２１】
図１に関して図示した実施形態によると、さらに支持構造体１２０とヨー軸受１３０とが設けられる。ヨー軸受１３０は、一方では例えばボルト１３４によってタワー２０に取付けられ、他方ではボルト１３２によって支持構造体１２０に取付けられる。さらに、風力タービンの上部部分を回転させて、風向きに応じて風力タービン１００を調整するために、モータを備えた駆動装置１３６を設けることができる。
【００２２】
矢印Ｄ１で示すように、ロータブレード２８の先端は、タワー２０から或る距離を有する。運転時又は極端な事象時には、ロータブレードは、風の力によって湾曲する可能性がある。風上型風力タービンの場合には、ロータブレード２８の湾曲により、ロータブレード先端とタワーとの距離の減少が生じる。これは、図１に点線で示している。安全のため及びその他の配慮から、全ての運転環境下においてロータブレード先端とタワーとの間に最小限の距離が確保されなくてはならない。従って、ロータブレード２８の先端がタワー２０に接触する可能性がないように、風力タービンの運転パラメータ及び／又は構造を調整することが望ましい。
【００２３】
上記を考慮して、本明細書に記載した実施形態によると、支持構造体１２０は、ロータブレードからタワーまでの距離が増大するように、例えばタワー頂部セクションの形態として前方傾斜支持部分を構成する。
【００２４】
別の実施形態によると、支持構造体１２０は、ヨー軸受に連結された下部フランジと、ナセル２２、例えばナセルのベースフレームに対して連結された上部フランジとを有する。２つのフランジの中心を結ぶ軸線は、支持構造体１２０の傾斜軸線１２０ａを構成する。本明細書に記載した一般的な実施形態によると、中心とは、支持構造体のそれぞれの側面の断面の幾何学的中心であると理解されたい。それによって、断面は、支持構造体の取付け方向における側面又はフランジの例えば水平断面とすることができる。図１において、支持構造体の高さは、矢印Ｈで示している。さらに、距離ＤＴＨは、ハブとタワー２０の垂直方向軸線２０ａとの間の距離を示している。タワー２０の垂直方向軸線２０ａと支持構造体１２０の軸線１２０ａとの間の角度は、支持構造体の傾斜角度を意味する。
【００２５】
本明細書に記載した幾つかの実施形態によると、タワー頂部セクションのような支持構造体は、ハブ２６に向かって前方傾斜した状態で傾斜している。それによって、ブレードは、それらが運転時に湾曲した時に、タワーと接触するまでにより大きな余裕を有する。さらに別の実施形態によると、風向きに関わりなくより大きな余裕を可能にするために、タワー２０と支持構造体１２０との間の位置にヨー軸受が設けられる。
【００２６】
本明細書に記載した実施形態によると、タワー２０の軸線２０ａに対する支持構造体１２０の軸線１２０ａの傾斜により、距離ＤＴＨが増大することになる。従って、ブレード剛性、ブレードのプレベンド及びコーン、ハブコーン、傾斜角度、ハブ中心からフランジまでの距離、フランジからタワー中心までの距離、並びにタワー直径に関する例えばデンマーク式風力タービン概念のパラメータ最適化は、ロータブレード２８の先端がタワー２０に接触する危険性が減少するので、エネルギー発生の最適化を考慮して行うことができる。
【００２７】
本明細書に記載した他の実施形態と組合せることができるさらに別の実施形態によると、傾斜支持構造体１２０の高さＨは、頂部におけるタワー直径の約２〜１５倍である。一般的に、これは、ヨー軸受１３０がタワー２０に取付けられた部分或いはナセル２２がタワー及び／又は支持構造体に取付けられた部分である。
【００２８】
傾斜支持部分１２０の上述の長さにより、タワーに対するハブの所望の前方移動とヨー軸受に加わる荷重増加との間の妥協が得られる。
【００２９】
図２に関連して図示した他の実施形態によると、支持構造体１２０は、幾つかの部分１２２及び１２４を有する構造体とすることができ、１つの部分１２０は、ナセル２２の後部に向けて取付けられ、また他の部分１２４は、ナセルの前部に向けて取付けられる。ヨー軸受１３０がナセル又は水平ベースフレーム部分に対して直接結合されていないことを考慮して、ナセルの支持構成要素の取付け構造体は、別の構成にすることができ、かつ／又は単純化することができる。
【００３０】
さらに、図３には、好ましさがやや劣る解決法を示しており、この場合、支持構造体１２０は、前方傾斜及び後方傾斜部分を有する。それによって、タワーセクションは、１つのブレード長さが所望の高さにある凹所に適合するような十分な長さになるように構成しなくてはならない。それによって、図３に示すように、ナセルに対する支持構造体の取付け位置は、タワーの軸線に対して後方に移動させることができる。さらに別の実施形態によると、図３に示す支持構造体は、ナセル取付け位置及びタワー軸線からのオフセットが全くないように又は前方オフセットがあるように変更することができる。
【００３１】
上記のように、タワーの上部部分と呼ぶことができるナセルのための前方傾斜支持構造体に関して、前方傾斜型風力タービンについて説明した。しかしながら、さらに別の実施形態によると、支持構造体１２０はまた、それがベースフレームに対して剛体連結されたようなナセルの一部分であると見なすこともできる。従って、支持構造体は、ベースフレームの水平部分を支持したベースフレームの延長部と見なすことができる。また、発電機、歯車又はそれと同様のもののような構成要素がその上に取付けられるフレームであるベースフレームの下方部分は、該ベースフレームの水平部分を支持するので、ナセル内で水平ベースフレーム部分の下方に延びる該ベースフレームの延長部もまた、本明細書に述べたような支持構造体と見なされることを理解されたい。
【００３２】
本明細書に記載した他の実施形態と組合せることができるさらに別の実施形態によると、距離ＤＴＨは、２〜７ｍの範囲内、典型的には３〜４．５ｍの範囲内とすることができる。ヨー軸受の直径は、例えば１．５〜３ｍの範囲内、典型的には２ｍとすることができる。ヨー軸受からロータ軸線までの高さ（図１のＨ参照）は、１．５〜７０ｍの範囲内、典型的には３ＭＷ風力タービンの場合には少なくとも３ｍ又は１ＭＷ風力タービンの場合には少なくとも１．５ｍとすることができる。さらに別の実施形態によると、ヨー軸受の高さＨ対直径の比は、４０％〜８０％の範囲内、典型的には６０％〜７０％の範囲内とすることができる。本明細書に記載した他の実施形態と組合せることができるさらに別の実施形態によると、高さＨ対ロータ直径の比は、２％〜７０％の範囲内、典型的には５％〜６０％の範囲内とすることができる。
【００３３】
本明細書に記載した他の実施形態と組合せることができる別の実施形態によると、本明細書に述べたヨー軸受の直径は、該ヨー軸受のレースウエイの直径として定義することができ、或いは、ヨー軸受内の滑り面の場合には、該滑り面の平均直径として定義することができる。さらに、一方がもう一方の上方にある２つの軸受の場合には、直径は、最も大きなヨー軸受レースウエイ直径と軸受間の距離とによって求めることができる。
【００３４】
本明細書に記載した他の実施形態と組合せることができるさらに別の実施形態によると、支持構造体１２０は、１つの管体、複数の管体、又は格子形タワーのような格子として設けることができる。さらに、支持構造体は、管状タワーセクション又は格子形タワーセクション上に設けることができる。
【００３５】
本明細書に記載した実施形態は、ヨー軸受上に高い曲げモーメントを生じる可能性があるが、風力タービンのために比較的短いナセルを設けることができ、電力生成に関するコーンと傾斜角度とにおける妥協の必要性を減少させることができる。さらに別の実施形態によると、タワーと支持構造体１２０との間のヨー軸受の構造により、ヨー軸受リング内に何らのねじ孔も必要としないという結果を得ることができる。このことにより、風力タービンの製作コストを低減することができる。
【００３６】
本明細書に記載した他の実施形態と組合せることができるさらに別の実施形態によると、軸線１２０ａとタワーの垂直方向軸線２０ａとの間の角度である前方傾斜は、少なくとも１°、典型的には４°〜２０°の間、例えば５°又は１０°である。
【００３７】
上述のように、支持構造体は、幾つかの実施形態によると、傾斜したタワーセクションと見なすことができる。別の実施形態によると、支持構造体は、ベースフレームの水平方向延長部分の突出部と見なすことができる。
【００３８】
幾つかの実施形態によると、タワーの垂直方向軸線を定める少なくとも１つの下部タワーセクションを備えたタワー、ヨー軸受、ナセル及びハブを有する風力タービンのナセルのための支持構造体を提供することができる。この構造体は、ヨー軸受に連結可能であるか又は該ヨー軸受に面する下部フランジ（下面）と、ナセルに連結可能であるか又は該ナセルに面する上部フランジ（上面）とを含み、支持構造体は、下部フランジ（下面）の中心及び上部フランジ（上面）の中心を通って延びるものとして定義された支持構造体軸線を有し、また支持構造体は、支持構造体軸線がタワーの垂直方向軸線に対して傾斜して風力タービンに取付けられるようになっている。
【００３９】
この構造体を変更するようになったさらに別の付加的又は代替的な任意選択的実施形態によると、支持構造体軸線の方向に沿った下部フランジ及び上部フランジ間の寸法は、５０ｍよりも小さく、典型的には１ｍ〜３０ｍとすることができ、支持構造体は、支持構造体軸線がタワーの垂直方向軸線に対してハブに向かって傾斜して風力タービンに取付けられるようにすることができ、また／又は支持構造体は、支持構造体軸線がタワーの垂直方向軸線に対して少なくとも４°の角度だけ傾斜して風力タービンに取付けられるようになっている。
【００４０】
本明細書に記載した他の実施形態と組合せることができるさらに別の実施形態によると、支持構造体は、ハブとタワーの垂直方向軸線との間の距離が少なくとも１５％だけ増大するように支持構造体軸線をタワーの垂直方向軸線に対して傾斜させて風力タービンに取付けられるようにすることができる。
【００４１】
他の実施形態によると、風力タービンを提供する。本風力タービンは、タワーの垂直方向軸線を定める少なくとも１つの下部タワーセクションを備えたタワーと、ヨー軸受と、ナセルと、ロータ軸線、ロータ直径及び少なくとも１つのロータブレードを有するロータと、ヨー軸受に連結可能な下部フランジ及びナセルに連結可能な上部フランジを有する支持構造体とを含み、支持構造体は、タワーの垂直方向軸線に沿って延びるタワーセクションと比べてロータブレードと該タワーの垂直方向軸線との間の距離を増大させるようになった前方傾斜タワーセクションとして働くような構造にされる。
【００４２】
風力タービンの実施形態を変更するようになったさらに付加的又は代替的な任意選択的実施形態によると、支持構造体は、下部フランジの中心及び上部フランジの中心を通って延びるものとして定義された支持構造体軸線を有することができ、支持構造体は、支持構造体軸線がタワーの垂直方向軸線に対して傾斜して風力タービンに取付けられるようになっており、支持構造体は、１ｍ〜５０ｍのヨー軸受からロータ軸線までの距離を構成する長さを有するようになっており、また支持構造体は、ロータ直径の２％〜７０％のヨー軸受からロータ軸線までの距離を構成する長さを有するようになっている。さらに付加的に又は代替的に、支持構造体は、支持構造体軸線がタワーの垂直方向軸線に対してハブに向かって傾斜して風力タービンに取付けられるようになっており、支持構造体は、支持構造体軸線がタワーの垂直方向軸線に対して少なくとも１０°の角度だけ傾斜して風力タービンに取付けられるようになっており、また／又は支持構造体は、ハブとタワーの垂直方向軸線との間の距離が少なくとも３０％だけ増大するように支持構造体軸線をタワーの垂直方向軸線に対して傾斜させて風力タービンに取付けられるようになっている。
【００４３】
本明細書に記載した実施形態によると、ロータブレードとタワー軸線との間の距離は、非運転状態において６ｍとすることができる。
【００４４】
他の実施形態によると、風力タービンを製作する方法を提供する。本方法は、基礎上に第１のタワー部分を取付けるステップと、第１のタワー部分上方に少なくともさらに別のタワー部分を取付けて、第１及び／又は第２のタワー部分により垂直方向タワー軸線を定めるステップと、少なくともさらに別のタワー部分上にヨー軸受を取付けるステップと、ヨー軸受上に傾斜タワーセクションを取付けて、該傾斜タワーセクションの傾斜により風力タービンの重心を風力タービンのロータに向かって移動させるステップと、傾斜タワーセクション上方にナセルを取付けるステップとを含む。
【００４５】
それによって、ナセルは、該ナセルのベースフレームを傾斜タワーセクションに取付けることによって、該傾斜タワーセクション上に取付けることができる。ナセルは、傾斜タワーセクション及びベースフレームを含む構成要素を事前製作することによって、該傾斜タワーセクション上に取付けることができ、さらに別の任意選択的実施形態として、事前製作構成要素は、単体構造の構成要素とすることができる。
【００４６】
本明細書は、最良の形態を含む実施例を使用して、本発明を開示し、またさらに当業者が本発明を製作しかつ使用するのを可能にしている。様々な特定の実施形態に関して本発明を説明してきたが、本発明が特許請求の範囲の技術思想及び技術的範囲内の変更で実施することができることは、当業者には分かるであろう。特に、上記の実施形態の互いに非排他的な特徴は、互いに組合せることができる。本発明の特許性がある技術的範囲は、特許請求の範囲によって定まり、かつ当業者が想起するその他の実施例を含むことができる。そのようなその他の実施例は、それらが特許請求の範囲の文言と相違しない構造的要素を有するか又はそれらが特許請求の範囲の文言と本質的でない相違を有する均等な構造的要素を含む場合には、特許請求の範囲の技術的範囲内に属することになることを意図している。
【図面の簡単な説明】
【００４７】
【図１】本明細書に記載した実施形態による前方傾斜タワーセクションを有する風力タービンの概略図。
【図２】本明細書に記載した別の実施形態による前方傾斜タワーセクションを有する風力タービンの概略図。
【図３】本明細書に記載したさらに別の実施形態による前方傾斜タワーセクションを有する風力タービンの概略図。
【符号の説明】
【００４８】
２０  タワー
２０ａ  （タワー２０の）（垂直方向）軸線
２２  ナセル
２６  ハブ
２８  ロータブレード
２８ａ  ロータ軸線
１００  風力タービン
１２０  支持構造体
１２０ａ  （支持構造体１２０の）軸線
１２２  支持構造体の部分
１２４  支持構造体の部分
１３０  ヨー軸受
１３２  ボルト
１３４  ボルト
１３６  駆動装置
【図１】
2009156260.tif 000003
【図２】
2009156260.tif 000004
【図３】
2009156260.tif 000005